【手続補正書】
【提出日】平成17年7月14日(2005.7.14)
【手続補正１】
【補正対象書類名】明細書
【補正対象項目名】発明の名称
【補正方法】変更
【補正の内容】
【発明の名称】制御装置、サーバ、制御方法、及び記憶媒体
【手続補正２】
【補正対象書類名】明細書
【補正対象項目名】特許請求の範囲
【補正方法】変更
【補正の内容】
【特許請求の範囲】
【請求項１】
特定機能を有し互いの動作に連動して動作する第１機器及び第２機器を制御可能な制御装置であって、
取得コマンドを利用して前記第２機器を制御するための制御権を取得する取得手段と、
前記第２機器の制御権が他の装置により取得されている場合、前記第１機器及び前記第２機器の両方を制御することを制限する制御制限手段と、
前記第２機器の制御権が前記取得コマンドを使用して取得された場合、前記第１機器と前記第２機器の両方を制御することを許可する制御許可手段とを備えることを特徴とする制御装置。
【請求項２】
前記他の装置が前記制御権を必要とする場合、前記制御制限手段は、前記第１機器及び前記第２機器を制御するための制御コマンドを無効にすることを特徴とする請求項１に記載の制御装置。
【請求項３】
少なくとも前記制御権の情報を表示する表示手段をさらに有することを特徴とする請求項１に記載の制御装置。
【請求項４】
どの装置も制御権を取得していない状態、他の装置が制御権を取得している状態、及び自装置が制御権を取得している状態の少なくとも３つの状態を示す情報を記憶する記憶手段をさらに有し、前記制御制限手段は、前記記憶手段に記憶された情報に基づき、前記第１機器及び前記第２機器の両方を制御することを制限することを特徴とする請求項１に記載の制御装置。
【請求項５】
前記第１機器及び前記第２機器はカメラであることを特徴とする請求項１〜４のいずれか１項に記載の制御装置。
【請求項６】
特定機能を有し互いの動作に連動して動作する第１機器及び第２機器を制御可能なサーバであって、
クライアントが前記第２機器を制御するための制御権を取得する取得コマンドを前記クライアントから受信する受信手段と、
前記第２機器の制御権が他の装置により取得されている場合、前記クライアントが前記第１機器及び第２機器の両方を制御することを制限する制御制限手段と、
前記第２機器の制御権が前記取得コマンドを使用して取得された場合、前記クライアントが前記第１機器と前記第２機器の両方を制御することを許可する制御許可手段とを備えることを特徴とするサーバ。
【請求項７】
特定機能を有し互いの動作に連動して動作する第１機器及び第２機器を制御可能な制御装置の制御方法であって、
取得コマンドを利用して前記第２機器を制御するための制御権を取得する取得ステップと、
前記第２機器の制御権が他の装置により取得されている場合、前記第１機器及び前記第２機器の両方を制御することを制限する制御制限ステップと、
前記第２機器の制御権が前記取得コマンドを使用して取得された場合、前記第１機器と前記第２機器の両方を制御することを許可する制御許可ステップとを有することを特徴とする制御方法。
【請求項８】
特定機能を有し互いの動作に連動して動作する第１機器及び第２機器を制御可能なサーバの制御方法であって、
クライアントが前記第２機器を制御するための制御権を取得する取得コマンドを前記クライアントから受信する受信ステップと、
前記第２機器の制御権が他の装置により取得されている場合、前記クライアントが前記第１機器及び前記第２機器の両方を制御することを制限する制御制限ステップと、
前記第２機器の制御権が前記取得コマンドを使用して取得された場合、前記クライアントが前記第１機器と前記第２機器の両方を制御することを許可する制御許可ステップとを有することを特徴とする制御方法。
【請求項９】
請求項７又は８に記載の制御方法のステップをコンピュータに実行させるコンピュータプログラムを格納したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、例えば、ネットワークに接続された複数のカメラを、複数の地点から同時に遠隔制御するための制御装置、サーバ、制御方法、及びコンピュータ読み取り可能な記憶媒体に関する。
【手続補正４】
【補正対象書類名】明細書
【補正対象項目名】０００６
【補正方法】変更
【補正の内容】
【０００６】
そこで、本発明は、上記の欠点を除去するために成されたもので、複数の機器の遠隔制御を、効率的に且つ確実に行うことを可能にすることを目的とする。
【手続補正５】
【補正対象書類名】明細書
【補正対象項目名】０００７
【補正方法】変更
【補正の内容】
【０００７】
【課題を解決するための手段】
本発明による制御装置は、特定機能を有し互いの動作に連動して動作する第１機器及び第２機器を制御可能な制御装置であって、取得コマンドを利用して前記第２機器を制御するための制御権を取得する取得手段と、前記第２機器の制御権が他の装置により取得されている場合、前記第１機器及び前記第２機器の両方を制御することを制限する制御制限手段と、前記第２機器の制御権が前記取得コマンドを使用して取得された場合、前記第１機器と前記第２機器の両方を制御することを許可する制御許可手段とを備える点に特徴を有する。
本発明によるサーバは、特定機能を有し互いの動作に連動して動作する第１機器及び第２機器を制御可能なサーバであって、クライアントが前記第２機器を制御するための制御権を取得する取得コマンドを前記クライアントから受信する受信手段と、前記第２機器の制御権が他の装置により取得されている場合、前記クライアントが前記第１機器及び第２機器の両方を制御することを制限する制御制限手段と、前記第２機器の制御権が前記取得コマンドを使用して取得された場合、前記クライアントが前記第１機器と前記第２機器の両方を制御することを許可する制御許可手段とを備える点に特徴を有する。
本発明による制御方法は、特定機能を有し互いの動作に連動して動作する第１機器及び第２機器を制御可能な制御装置の制御方法であって、取得コマンドを利用して前記第２機器を制御するための制御権を取得する取得ステップと、前記第２機器の制御権が他の装置により取得されている場合、前記第１機器及び前記第２機器の両方を制御することを制限する制御制限ステップと、前記第２機器の制御権が前記取得コマンドを使用して取得された場合、前記第１機器と前記第２機器の両方を制御することを許可する制御許可ステップとを有する点に特徴を有する。
本発明による他の制御方法は、特定機能を有し互いの動作に連動して動作する第１機器及び第２機器を制御可能なサーバの制御方法であって、クライアントが前記第２機器を制御するための制御権を取得する取得コマンドを前記クライアントから受信する受信ステップと、前記第２機器の制御権が他の装置により取得されている場合、前記クライアントが前記第１機器及び前記第２機器の両方を制御することを制限する制御制限ステップと、前記第２機器の制御権が前記取得コマンドを使用して取得された場合、前記クライアントが前記第１機器と前記第２機器の両方を制御することを許可する制御許可ステップとを有する点に特徴を有する。
本発明によるコンピュータ読み取り可能な記憶媒体は、本発明による制御方法のステップをコンピュータに実行させるコンピュータプログラムを格納した点に特徴を有する。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】０１３５
【補正方法】変更
【補正の内容】
【０１３５】
【発明の効果】
以上説明したように本発明では、特定機能を有し互いの動作に連動して動作する第１機器及び第２機器を制御するに際して、第２機器の制御権が他の装置により取得されている場合、第１機器及び第２機器の両方を制御することを制限し、第２機器の制御権が取得された場合、第１機器と第２機器の両方を制御することを許可するように構成した。
このように構成したことにより、関連する機器全ての制御権を個々に取得する必要はない。したがって、本発明は、複数の機器制御における作業の効率を向上させることができるという効果を奏する。また、ユーザは、制御権を取得する機器の制御だけに集中して作業できるようになるため、機器制御における作業の効率を向上させることができるという効果も奏する。さらに、制御権の取得に関する情報を、全員が取得していない状態、自分が取得している状態、他の誰かが取得している状態の３つの状態のみで実現できるので、システムの実現コストを抑えることが可能である。